(57)【要約】【課題】ＩＴＶ動画像とグラフィック監視画面を同時に目視確認できる大型スクリーン監視制御システムの提供。【解決手段】１ＣＰＵコンピュータのマルチスクリーンコントローラ１２により、プラント状態を把握するｎ面一括サイズのグラフィック監視画面２と、映像表示ウィンドウ３０１〜３０９を設ける。プラントの状態信号はｎ面出力グラフイックボード１２０１から映像合成装置５０１〜５０３を経て監視画面２に表示する。ＩＴＶ装置８０１〜８０３のＮＴＳＣ信号は画像切替装置６を経てＲＧＢ信号に変換された後に、映像合成装置５０１〜５０３で状態信号と合成される。ＲＧＢに変換されたＩＴＶの動画像は対応する映像表示ウィンドウ３０１〜３０９にハードオーバレイ方式により、監視画面２の最前面に描画される。【選択図】  図１
2004355391.tif 000002
【特許請求の範囲】
【請求項１】
プラント監視画面上にプラントの状態信号とＩＴＶカメラからの動画像を表示する大型スクリーン監視制御システムにおいて、
１ＣＰＵのコンピュータにｎ面出力グラフィックボードを搭載し、複数面からなるグラフイック監視画面と、該グラフイック監視画面上に複数の映像表示ウィンドウを設けるマルチスクリーンコントローラと、前記ＩＴＶカメラからのＮＴＳＣ信号をＲＧＢ信号に変換した後に、前記状態信号と合成する映像合成装置を設け、
前記映像合成装置はＲＧＢ信号に変換されたＩＴＶ動画像を前記映像表示ウィンドウに描画することを特徴とする大型スクリーン監視制御システム。
【請求項２】
請求項１において、
前記映像合成装置は、ハードオーバーレイ方式により前記プラント監視画面の最前面に前記ＩＴＶ動画像を描画することを特徴とする大型スクリーン監視制御システム。
【請求項３】
プラント監視画面上にプラントの状態信号とＩＴＶカメラからの動画像を表示する大型スクリーン監視制御システムにおいて、
１ＣＰＵのコンピュータにｎ面出力グラフィックボードを搭載し、複数面からなるグラフイック監視画面と、該グラフイック監視画面上に複数の映像表示ウィンドウを設けるマルチスクリーンコントローラと、前記ＩＴＶカメラからのＮＴＳＣ信号をＲＧＢ信号に変換した後に、前記状態信号と合成する映像合成装置を設け、
前記マルチスクリーンコントローラは、前記複数の映像表示ウィンドウを所定位置に整列させる整列表示手段を有していることを特徴とする大型スクリーン監視制御システム。
【請求項４】
請求項３において、
前記整列表示手段は、前記映像表示ウィンドウの表示の早い順に整列させることを特徴とする大型スクリーン監視制御システム。
【請求項５】
請求項３または４において、
前記整列表示手段は、前記プラント監視画面上で予め定められた所定領域を回避して前記複数の映像表示ウィンドウを整列させることを特徴とする大型スクリーン監視制御システム。
【発明の詳細な説明】
【０００１】
【発明の属する技術分野】
本発明は、プラント監視制御における大型スクリーン監視制御システムに関する。
【０００２】
【従来の技術】
上下水道、発変電所、電力系統、製鉄所、産業、交通などの監視制御システムには大型スクリーンを用いたプラント監視が多い。
【０００３】
従来の装置は、特許文献１、２に記載のように、複数の大型スクリーンへ画像を描画するために、解像度に応じて複数のＣＰＵを設ける方式であった。また、ＩＴＶなどの動画像を監視するには大型スクリーンへＮＴＳＣ画像切替装置、ＲＧＢ画像切替装置を用いて描画する方式であった。
【０００４】
【特許文献１】
特開平１０−０３９９２１号公報（段落００１３−００２１、図１）
【特許文献２】
特開平０９−２４４８６２公報（段落００１２−００１５、図１）
【０００５】
【発明が解決しようとする課題】
上記従来技術は、ｎ面の大型スクリーンにｎ面一括サイズのグラフィック監視画面を表示する場合に、ｎ個のＣＰＵでｎ個に分割されたグラフィック監視画面データをそれぞれ持たせるため、グラフィック監視画面の設計製作が難しかった。また、ＩＴＶなどの動画像を監視する場合には、ＲＧＢ画像とＮＴＳＣ画像の切替により、大型スクリーンの画面の一部がすべてＩＴＶ画像に変わるような表示方法しか出来なかった。
【０００６】
プラント監視制御システムにおいては、プラントの状態を把握するグラフィック監視画面とＩＴＶなどの現場、遠隔場所のリアルタイム動画像の２つのソースを同時に確認することによって有効な監視を実現したいというニーズがある。
【０００７】
本発明の目的は、上記従来技術の課題に鑑み、グラフィック監視画面とＩＴＶ動画像の共存表示が可能な大型スクリーン監視制御システムを提供することにある。
【０００８】
【課題を解決するための手段】
上記目的を達成する本発明は、プラント監視画面上にプラントの状態信号とＩＴＶカメラからの動画像を表示する大型スクリーン監視制御システムにおいて、１ＣＰＵのコンピュータにｎ面出力グラフィックボードを搭載し、複数面からなるグラフイック監視画面と、該グラフイック監視画面上に複数の映像表示ウィンドウを設けるマルチスクリーンコントローラと、前記ＩＴＶカメラからのＮＴＳＣ信号をＲＧＢ信号に変換した後に、前記状態信号と合成する映像合成装置を設け、前記映像合成装置はＲＧＢ信号に変換されたＩＴＶ動画像を前記映像表示ウィンドウに描画することを特徴とする。
【０００９】
前記映像合成装置は、ハードオーバーレイ方式により前記プラント監視画面の最前面に前記ＩＴＶ動画像を描画する。
【００１０】
また、本発明の大型スクリーン監視制御システムは、１ＣＰＵのコンピュータにｎ面出力グラフィックボードを搭載し、複数面からなるグラフイック監視画面と、該グラフイック監視画面上に複数の映像表示ウィンドウを設けるマルチスクリーンコントローラと、前記ＩＴＶカメラからのＮＴＳＣ信号をＲＧＢ信号に変換した後に、前記状態信号と合成する映像合成装置を設け、前記マルチスクリーンコントローラは、前記複数の映像表示ウィンドウを所定位置に整列させる整列表示手段を有していることを特徴とする。
【００１１】
前記整列表示手段は、前記映像表示ウィンドウの表示の早い順に整列させることを特徴とする。
【００１２】
前記整列表示手段は、前記プラント監視画面上で予め定められた所定領域を回避して前記複数の映像表示ウィンドウを整列させることを特徴とする。
【００１３】
本発明によれば、プラントの状態を把握するグラフィック監視画面と現場や遠隔場所のリアルタイム動画像の２つのソースを同時に目視確認できるので、プラント監視業務の的確な判断、操作を可能にする。さらに、同時に表示されたリアルタイム動画像をグラフィック監視画面上で取り扱う場合に、映像表示ウィンドウの整列表示機能を設けることで、より見やすく操作しやすい監視制御システムが実現できる。
【００１４】
【発明の実施の形態】
以下、本発明の実施形態を図面を参照しながら説明する。図１は一実施例による大型スクリーン監視制御システムの構成を示す。プラント制御用コントローラ１５から制御ＬＡＮ１４を経由して、マルチスクリーンコントローラ１２に対してリアルタイムにプラントの状態信号が取り込まれる。この状態信号はｎ面出力グラフィックボード１２０１から、映像合成装置５０１〜５０３、ＲＧＢ画像切替装置４を経由して大型スクリーン１に表示する。大型スクリーン１は、グラフィック監視画面２にプラント系統とともにプラントの状態信号を描画している。
【００１５】
現場や遠隔場所のリアルタイム動画像は、ＩＴＶカメラ７０１〜７１２により撮影され、ＩＴＶ装置１〜３（８０１〜８０３）によって画面合成が行われる。ＩＴＶ装置１〜３（８０１〜８０３）からのＮＴＳＣ信号は、ＮＴＳＣ画像切替装置６、高精細化装置６０１〜６０３、ＲＧＢ画像切替装置４を経由して大型スクリーン１に表示する。ＩＴＶ制御装置９は、ＩＴＶカメラ７０１〜７１２の制御に用いられる。
【００１６】
本システムでは、マルチスクリーンコントローラ１２にリアルタイムに入力されるプラントの状態信号を、ｎ面出力グラフィックボード１２０１から映像合成装置５０１〜５０３へ送り、これをベース画面に設定し、ＲＧＢ画像切替装置４へ送る。
【００１７】
一方、ＩＴＶ装置１〜３（８０１〜８０３）からのＮＴＳＣ信号は、ＮＴＳＣ画像切替装置６、高精細化装置６０１〜６０３、ＲＧＢ画像切替装置４を経由した後、図１の下向き矢印のように映像合成装置５０１〜５０３へ戻される。このとき、ベース画面であるグラフィック監視画面２の画像データとともに、ＩＴＶ装置１〜３（８０１〜８０３）からのＮＴＳＣ信号からＲＧＢ信号に変換された動画像信号が映像合成装置５０１〜５０３へ戻される。ＮＴＳＣ信号をＲＧＢ信号に変換するのは高精細化装置６０１〜６０３で、ＲＧＢ画像切替装置４への入力はＲＧＢ信号である。
【００１８】
映像合成装置５０１〜５０３は、重ね合わせ画面として出力するハードオーバーレイ方式と呼ばれる機能を有している。ハードオーバーレイ方式の描画機能は、ベース入力上にサブ入力の信号を重畳するもので、ＮＴＳＣ画像をＲＧＢ画像に変換した信号（元がＮＴＳＣ画像であったもの）を画面の最前面に描画する。
【００１９】
本システムでは、図１のように大型スクリーン１にベース画面であるグラフィック監視画面２が描画され、この監視画面２上に映像表示ウィンドウ３０１〜３０９を設ける。そして、映像表示ウィンドウ３０１〜３０９内のある大きさの領域に、ＮＴＳＣ画像をＲＧＢ画像に変換した信号で、ハードオーバーレイ方式を用いてグラフィック監視画面２の最前面に描画している。
【００２０】
マルチスクリーンコントローラ１２は１ＣＰＵで構成される。このため、従来は別々のＣＰＵが分担表示していた大型スクリーン１面目１０１、２面目１０２、３面目１０３を単一のＣＰＵで描画できる。また、マルチスクリーンコントローラ１２は映像表示ウィンドウの座標を管理する管理テーブルや、この管理テーブルの生成タスク、映像表示ウィンドウの整列タスク（整列表示手段）を有している。
【００２１】
制御装置Ａ１１、制御装置Ｂ１０は大型スクリーン１の制御装置である。制御装置Ａ１１、制御装置Ｂ１０から出ている破線の矢印は、制御信号を意味する。大型監視統合ＬＡＮ１３は、マルチスクリーンコントローラ１２と制御装置Ａ１１間の制御信号の授受に用いる。
【００２２】
図２は、接続端子を含む大型スクリーン監視制御システムの構成を示す。ここでは、図１の構成に付加して、ＲＧＢ画像切替装置４、映像合成装置５０１〜５０３、ＮＴＳＣ画像切替装置６、高精細化装置６０１〜６０３における接続端子と入出力を示し、各装置間の接続関係が分かるようにしている。
【００２３】
図３は、ＲＧＢ画像切替装置４、映像合成装置５０１〜５０３、ＮＴＳＣ画像切替装置６、高精細化装置６０１〜６０３に端子Ｎｏを示し、互いの接続関係を示している。
【００２４】
ｎ面出力グラフィックボード１２０１から、映像合成装置５０１〜５０３のＩＮ１に入ったＲＧＢ画像信号は、映像合成装置５０１〜５０３のＯＵＴ１からそれぞれ、ＲＧＢ画像切替装置４のＩＮ１４、ＩＮ１５、ＩＮ１６へ入る。ＲＧＢ画像信号は、ＲＧＢ画像切替装置４のＯＵＴ１０、ＯＵＴ１１、ＯＵＴ１２から大型スクリーン１の画面１０１〜１０３に表示される。
【００２５】
映像合成装置５０１〜５０３は４入力１出力の装置を用いた場合に、ベース画面用で１入力を使うため、残りが３入力となる。本実施例では、３面の大型スクリーンに３台の映像合成装置５０１〜５０３を装備している。映像合成装置５０１が大型スクリーン１面目１０１に対応、映像合成装置５０２が大型スクリーン２面目１０２に対応、映像合成装置５０３が大型スクリーン３面目１０３に対応している。
【００２６】
ＩＴＶ装置８０１〜８０３からのＮＴＳＣ画像信号は、ＮＴＳＣ画像切替装置６のＩＮ１、ＩＮ２、ＩＮ３へ入力される。ＮＴＳＣ画像切替装置６のＯＵＴ１、ＯＵＴ２、ＯＵＴ３から高精細化装置６０１〜６０３のＩＮ１、ＩＮ２、ＩＮ３に入力される。高精細化装置６０１〜６０３はその内部信号変換処理によって、ＮＴＳＣ信号をＲＧＢ画像信号に変換する。変換後の画像信号（＝ＲＧＢ画像信号）は、高精細化装置６０１〜６０３のＯＵＴ１、ＯＵＴ２、ＯＵＴ３からＲＧＢ画像切替装置４のＩＮ６、ＩＮ７、ＩＮ８へ入力される。本実施例では重ね表示を行うが、重ね表示をしない場合はＲＧＢ画像切替装置４のＯＵＴ１０、ＯＵＴ１１、ＯＵＴ１２から大型スクリーン１に表示する。
【００２７】
図４にマルチスクリーンコントローラ１２にｎ面出力グラフィックボードを実装した状態を示す。ｎ面出力グラフィックボード１２０１として、本実施例では米国ＡＰＰＩＡＮ  ＧＲＡＰＨＩＣＳ社製品であるマルチモニターグラフィックボード  Ａｐｐｉａｎ  Ｘ４を採用した。
【００２８】
Ａｐｐｉａｎ  Ｘ４は、４出力の仕様である。図示のように、基板の上側、下側に２つのコネクタを有し、２つに分岐するケーブルによって相手機器と接続する。上側のコネクタから出る端子をＵＰ２、ＵＰ３とすると、ＵＰ２は描画する画面エリアのＣＨ１、ＵＰ３は描画する画面エリアのＣＨ２に対応する。下側のコネクタから出る端子をＤＷ２、ＤＷ３とすると、ＤＷ２は描画する画面エリアのＣＨ３、ＤＷ３は描画する画面エリアのＣＨ４に対応する。
【００２９】
本実施例は大型スクリーン監視制御システムでよく使われる３面構成で、大型スクリーン１が大型スクリーン１面目１０１、大型スクリーン２面目１０２、大型スクリーン３面目１０３に分割されている。上記のＣＨ１、ＣＨ２、ＣＨ３のそれぞれが大型スクリーン１面目１０１、大型スクリーン２面目１０２、大型スクリーン３面目１０３に対してＲＧＢ画像信号を入力していることになる。なお、Ａｐｐｉａｎ  Ｘ４のＣＨ４は使用していない。
【００３０】
図５にｎ面出力グラフィックボードの初期設定の説明図を示す。ｎ面出力グラフィックボード１２０１の４面横配列と３面横配列の初期設定の例である。Ａｐｐｉａｎ  Ｘ４は、基板と共に付属されるデバイスドライバというソフトウェアがあるが、デバイスドライバの初期設定を定義することによって、４面横配列や３面横配列の形態で描画する画面エリアを指定できる。
【００３１】
描画する画面エリアの解像度は、通常のコンピュータにおける解像度の種類として定義されている１０２４ドットラ１２８０ドットを１ＣＨとして扱う。本実施例では３面横配列の形態で使用するため、１０２４ドットラ３８４０ドットの画面エリアを１ＣＰＵのマルチスクリーンコントローラ１２で扱う。
【００３２】
図６に映像合成装置による重ね合わせ画面の説明図を示す。映像合成装置５０１〜５０３として、アストロデザイン株式会社製品であるマルチメディアスキャンコンバータ  ＭＣ−２００７を採用した。
【００３３】
ＭＣ−２００７では、図６（ｂ）の映像合成装置５０１〜５０３に示すように、ＩＮ１〜ＩＮ４の入力とＯＵＴ１の出力を装備し、アナログＲＧＢ信号を重ね合わせ画面として出力する。マルチメディアスキャンコンバータのＩＮ１〜ＩＮ４の入力画面は、表示位置、優先順位、大きさ、表示領域が自由に設定でき、さらにさまざまな入力信号に対し、自動追従し、自動で画郭設定を行い表示可能である。
【００３４】
本実施例では、映像合成装置５０１〜５０３のＩＮ１への入力をマルチスクリーンコントローラ１２からの入力とし、これをグラフィック監視画面２（ベース画面）とする。その上で、ＩＴＶ画面３０１１〜ＩＴＶ画面３０３１をそれぞれ映像合成装置５０１〜５０３のＩＮ２〜ＩＮ４に入力する。映像合成装置５０１〜５０３の重ね合わせ画面として出力する機能（ハードオーバーレイ方式）を用いて、図６（ａ）に示すような重ね合わせ画面が描画される。
【００３５】
マルチスクリーンコントローラ１２は映像表示ウィンドウの整列機能を有している。図７は映像表示ウィンドウの整列機能の説明図である。図７（ａ）の表示状態で映像ウィンドウ起動ボタン２１を選択すると、図７（ｂ）のように映像表示ウィンドウ（ク）が呼び出される。図７（ｃ）のように、映像表示ウィンドウ（ク）には、整列ボタン３１がソフトウェア上に作り込まれており、整列ボタン３１を選択すると、（ｂ）→（ｄ）のように、映像表示ウィンドウは所定の整列表示が行われる。
【００３６】
図８に映像表示ウィンドウの管理テーブルを示す。映像表示ウィンドウの整列のためには、管理テーブル（現在表示中映像表示ウィンドウ）５１０１と管理テーブル（整列座標）５１０２を、マルチスクリーンコントローラ１２の主記憶上に保持している。
【００３７】
図９は現在表示中ウィンドウの説明図である。管理テーブル５１０１は映像表示ウィンドウ情報を９枚分保持している。これは、映像合成装置５０１〜５０３が１台あたり３入力で、最大同時表示可能な映像表示ウィンドウの数は９となるためである。
【００３８】
図９は、最初に表示していた映像表示ウィンドウ［ア］＝ウィンドウＮｏ．１を消去した状態を示している。管理テーブル５１０１は表示要求の早い順（表示の早い順）に、９ケースのデータを保持している。図９ではウィンドウＮｏ．２、ウィンドウＮｏ．３、ウィンドウＮｏ．４の順に表示したことを示すデータを保持している。−１はデータの最後を示す。
【００３９】
ここで重要なことは、ウィンドウの表示順を整列表示に反映しようとする点である。プラント監視業務で関係する現場、遠隔場所のＩＴＶ動画像を目視確認したい場合に、オペレータの知識、経験から必要なＩＴＶカメラ７０１〜７１２の画像を選択し、大型スクリーン１上の映像表示ウィンドウ３０１〜３０９に配置している。本方式では、一般に重要性が高いＩＴＶ画像ほど早く表示させたいので、表示の早い順序を認識し、整列表示の際には早い順序から優先して配置する方式としている。
【００４０】
図１０に整列座標の管理テーブルの説明図を示す。管理テーブル５１０２は、整列処理の要求があった場合に、どの位置にウィンドウを整列表示させるかを示す整列座標を、要求（表示）の早い順に保持している。整列座標例７１のように、管理テーブル５１０２の整列座標１−９の初期値に従い、（ア）−（ケ）までのウィンドウが所定位置に整列表示される。
【００４１】
図１１に管理テーブル（現在表示中映像表示ウィンドウ）生成タスクのフローチャートを示す。マルチスクリーンコントローラ１２が有している生成タスクは、映像表示ウィンドウ起動ボタンへの要求または消去の要求があるかを判定する（Ｓ７００１）。ＹＥＳなら、映像表示ウィンドウの呼び出し処理または消去処理を行い（Ｓ７００２）、管理テーブル（現在表示中映像表示ウィンドウ）５１０１のデータを早い順に書き換え（Ｓ７００３）、エンドとなる。
【００４２】
図１２に映像表示ウィンドウ整列タスクについて示す。マルチスクリーンコントローラ１２が有する整列タスクは、映像表示ウィンドウ整列要求があるかを判定する（Ｓ８００１）。ＹＥＳなら、管理テーブル（現在表示中映像表示ウィンドウ）５１０１の読み出しを行う（Ｓ８００２）。次に、管理テーブル（整列座標）５１０２から整列座標の読み出し（Ｓ８００３）を行い、映像表示ウィンドウの整列処理を実行する（Ｓ８００４）。
【００４３】
図１３は、グラフィック監視画面の設計例を示す。設計例８１は整列表示前の状態、設計例８２は整列後の表示状態である。図１３の梨地の領域は、プラント監視上の重要な情報を表示する領域である。
【００４４】
設計例８２は整列座標を意図的に配置した整列表示状態を示している。たとえば、プラント監視の重要情報を表示する領域がある場合に、この領域を回避して整列座標を設定することで、プラント監視上重要な情報を表示する領域を予め空けておくことができる。
【００４５】
図１３では、整列座標例８３のように、図１０の整列座標例７１における座標（ｘ０，ｙ０）を無くし、代わりに座標（ｘ２ａ，ｙ２ａ）を設けている。表示の早い順から優先して配置するため、整列座標例８３では最初に配置される映像表示ウィンドウの整列座標は、（ｘ１，ｙ１）となる。これにより、プラント監視上重要な情報を表示する領域（ｘ０，ｙ０）を確保した、整列表示が可能になる。
【００４６】
以上のように、本実施例の大型スクリーン監視制御システムによれば、１ＣＰＵのコンピュータにｎ面出力グラフィックボードを搭載し、ｎ面一括サイズのグラフィック監視画面を設計製作できるようなシステム構成を構築している。さらにベースとなるグラフィック監視画面上に映像表示ウィンドウを設け、映像表示ウィンドウ内のある大きさの領域にＩＴＶ動画像であるＮＴＳＣ画像をＲＧＢ画像に変換し、ハードオーバーレイ方式を用いて最前面に描画する構成としている。
【００４７】
これにより、グラフィック監視画面とＩＴＶ動画像を共存表示でき、プラントの状態を把握するグラフィック監視画面とＩＴＶなどの現場や遠隔場所のリアルタイム動画像の２つのソースを、同時に目視確認することが可能になる。
【００４８】
また、同時に表示されたＩＴＶなどの現場、遠隔場所のリアルタイム動画像をグラフィック監視画面上で取り扱う場合に、映像表示ウィンドウの整列表示機能を設けることで、より見やすく操作しやすい監視制御システムが実現できる。
【００４９】
さらに、大型スクリーンの表示領域において予めプラント監視上重要な情報を表示する領域を確保し、前記プラント監視上重要な情報を表示する領域の妨げにならないような映像表示ウィンドウの整列表示機能を設けることができる。
【００５０】
【発明の効果】
本発明によれば、プラントの状態を把握するグラフィック監視画面とＩＴＶなどの現場、遠隔場所のリアルタイム動画像の２つのソースを同時に目視確認できる大型スクリーン監視制御システムを実現できるので、プラント監視業務の的確な判断、操作が可能になるという効果がある。
【００５１】
また、映像表示ウィンドウの整列表示機能を設けることで、より見やすく操作しやすい、ヒューマンマシン系監視操作機能を高める効果がある。
【図面の簡単な説明】
【図１】本発明の大型スクリーン監視制御システムの一実施例を示すシステム構成図。
【図２】システム構成図に端子を示した接続関係図。
【図３】ＲＧＢ画像切替装置、映像合成装置、ＮＴＳＣ画像切替装置、高精細化装置の端子と入出力を示す入出力関係図。
【図４】マルチスクリーンコントローラのｎ面出力グラフィックボードの実装図。
【図５】ｎ面出力グラフィックボードの初期設定例を示す説明図。
【図６】映像合成装置による重ね合わせ画面を示す説明図。
【図７】映像表示ウィンドウの整列機能を示す説明図。
【図８】マルチスクリーンコントローラの管理テーブルを示す説明図。
【図９】現在表示中映像表示ウィンドウの管理テーブルの説明図。
【図１０】整列座標の管理テーブルの説明図。
【図１１】管理テーブル生成タスクのフローチャート。
【図１２】映像表示ウィンドウ整列タスクのフローチャート。
【図１３】特定領域を確保した映像表示ウィンドウの整列表示を示す説明図。
【符号の説明】
１…大型スクリーン、１０１〜１０３…大型スクリーン画面（１面目〜３面目）、２…グラフィック監視画面、３０１〜３０９…映像表示ウィンドウ、４…ＲＧＢ画像切替装置、５０１〜５０３…映像合成装置、６…ＮＴＳＣ画像切替装置、６０１〜６０３…高精細化装置、７０１〜７１２…ＩＴＶカメラ、８０１〜８０３…ＩＴＶ装置１〜３、９…ＩＴＶ制御装置、１０…制御装置Ｂ、１１…制御装置Ａ、１２…マルチスクリーンコントローラ、１２０１…ｎ面出力グラフィックボード、１３…大型監視統合ＬＡＮ、１４…制御ＬＡＮ、１５…プラント制御用コントローラ、２１…映像ウィンドウ起動ボタン、３１…整列ボタン、５１０１…管理テーブル（現在表示中映像表示ウィンドウ）、５１０２…管理テーブル（整列座標）、３０１１〜３０３１…映像表示ウィンドウ内のＩＴＶ画面。
【図１】
2004355391.tif 000003
【図２】
2004355391.tif 000004
【図３】
2004355391.tif 000005
【図４】
2004355391.tif 000006
【図５】
2004355391.tif 000007
【図６】
2004355391.tif 000008
【図７】
2004355391.tif 000009
【図８】
2004355391.tif 000010
【図９】
2004355391.tif 000011
【図１０】
2004355391.tif 000012
【図１１】
2004355391.tif 000013
【図１２】
2004355391.tif 000014
【図１３】
2004355391.tif 000015